(57)【特許請求の範囲】
【請求項１】
１８０度異なる位置に取り付けられた２つの回転ヘッドの出力を切り換えて得られた信号を所定処理することによって再生映像信号を得るとともに、固定ヘッドによって磁気テープから読み取られたコントロール信号に基づいて磁気テープの走行を制御する磁気テープ再生装置において、
１垂直走査期間を分割した分割垂直期間において再生映像信号に現れる水平同期信号の数に基づき、特殊再生時に再生映像信号に現れるノイズバーの垂直方向における位置を検出するノイズバー位置検出手段と、
特殊再生時に画面の下端部近傍の範囲に対応する分割垂直期間である特定垂直期間にノイズバーが現れたことをノイズバー位置検出手段が示すときには、特定垂直期間にノイズバーが現れなくなったことをノイズバー位置検出手段が示すまでトラッキング量を変化させるトラッキング調整手段とを備えたことを特徴とする磁気テープ再生装置。
【請求項２】
１８０度異なる位置に取り付けられた２つの回転ヘッドの出力を切り換えて得られた信号を所定処理することによって再生映像信号を得るとともに、固定ヘッドによって磁気テープから読み取られたコントロール信号に基づいて磁気テープの走行を制御する磁気テープ再生装置において、
１垂直走査期間を分割した分割垂直期間において再生映像信号に現れる水平同期信号の数に基づき、特殊再生時に再生映像信号に現れるノイズバーの垂直方向における位置を検出するノイズバー位置検出手段と、
特殊再生時にノイズバーが現れることが望ましくない画面範囲に対応する分割垂直期間である特定垂直期間にノイズバーが現れたことをノイズバー位置検出手段が示すときには、特定垂直期間にノイズバーが現れなくなったことをノイズバー位置検出手段が示すまでトラッキング量を変化させるトラッキング調整手段とを備えたことを特徴とする磁気テープ再生装置。
【請求項３】
１８０度異なる位置に取り付けられた２つの回転ヘッドの出力を切り換えて得られた信号を所定処理することによって再生映像信号を得るとともに、固定ヘッドによって磁気テープから読み取られたコントロール信号に基づいて磁気テープの走行を制御する磁気テープ再生装置において、
１垂直走査期間を複数個に分割した期間である分割垂直期間のそれぞれにおいて再生映像信号に現れる水平同期信号の数に基づき、特殊再生時に再生映像信号に現れるノイズバーの垂直方向における位置を検出するノイズバー位置検出手段と、
特殊再生時にユーザによりトラッキング調整が行われたときには、前記トラッキング調整の後においてノイズバー位置検出手段により検出されたノイズバーの位置を記憶するノイズバー位置記憶手段と、
特殊再生時にノイズバー位置検出手段の出力により示されるノイズバーの位置がノイズバー位置記憶手段に記憶されたノイズバーの位置に一致しないときには、ノイズバー位置検出手段の出力により示されるノイズバーの位置がノイズバー位置記憶手段に記憶されたノイズバーの位置に一致するまでトラッキング量を変化させるトラッキング調整手段とを備えたことを特徴とする磁気テープ再生装置。
【発明の詳細な説明】
【０００１】
【発明の属する技術分野】
本発明は、２つの回転ヘッドの出力を切り換えて得られた信号を所定処理することによって再生映像信号を得る磁気テープ再生装置に係り、より詳細には、ノイズバーの位置を自動で移動させる磁気テープ再生装置に関するものである。
【０００２】
【従来の技術】
１８０度異なる角度に設けられた２つの回転ヘッドを備えたビデオカセットレコーダにおいて、前方への速送り再生（前方サーチ）や  後方への速送り再生（後方サーチ）を行う場合、回転ヘッドは、アジマス角度が異なるトラックを斜めに横切る。そして、アジマス角度が異なるトラックを斜めに横切るときでは、回転ヘッドからは信号が出力されず、ノイズが出力されるに過ぎない。このため、画面には、帯状のノイズであるノイズバーが現れる。一方、日本語による吹き替えなしの洋画では字幕が不可欠であり、この字幕は、多くの場合、画面の下端の近傍位置に表示される。従って、洋画を見ていて速送り再生を行ったとき、ノイズバーの現れる位置が画面の下端近傍となる場合では、字幕が見えなくなる。そのため、ノイズバーによって字幕が見えなくなる事態が生じたときには、ユーザは、トラッキング調整のためのキースイッチを操作して、ノイズバーを上方や下方に移動させ、字幕が見えなくなるという事態を回避している。
【０００３】
また、ユーザがトラッキング調整のためのキースイッチを操作して、ノイズバーの現れる位置が、字幕の表示位置に重ならないように調整したときでも、異なるビデオカセットをセットして速送り再生を行うと、字幕が表示される位置にノイズバーが現れることがある。そして、このような事態が生じた場合、ユーザは、トラッキング調整のためのキースイッチを再び操作して、字幕が表示される範囲からノイズバーを移動させ、字幕が見えなくなるという事態を回避している（第１の従来技術とする）。
【０００４】
また、以下に示す従来技術が提案されている（第２の従来技術とする）。すなわち、長時間の記録が可能なモードであるＬＰモードでもって映像を記録した場合、トラック間においてＨ並びが成り立たなくなる。従って、ＬＰモードで記録された磁気テープを速送り再生（前方サーチや後方サーチ等）すると、回転ヘッドがトラックを横切る毎に０．５Ｈのスキューが発生し、画面にはスキュー歪みが発生する。このため、水平同期信号とは位相の異なる疑似水平同期信号を発生させる疑似信号出力回路を設けている。その結果、水平同期信号を用いた場合では０．５Ｈとなるスキューの値が、疑似水平信号を用いたときでは、０．５Ｈより少ない値となる。その結果、テレビ受像機の側でのスキュー歪みの補正に要する時間が短縮されることになり、スキュー歪みの発生領域が低減されることになる（例えば、特許文献１参照）。
【０００５】
また、第２の従来技術における課題と同一課題を、異なる構成でもって解決しようとする従来技術が提案されている（第３の従来技術とする）。すなわち、この技術においては、ＬＰ用の２つの回転ヘッドとＳＰ用の２つの回転ヘッドとの４つの回転ヘッドを備えている。そして、ＬＰ用の回転ヘッドとＳＰ用の回転ヘッドとのうち、出力レベルが高くなる側の回転ヘッドの出力を用いるようにしている。従って、トラックに対して斜めに、隣のトラックに移動するときにも、スキュー歪みの量は０．５Ｈよりは小さい値に抑制される。その結果、テレビ受像機の側でのスキュー歪みの補正に要する時間が短縮されることになり、スキュー歪みの発生領域が低減されるされることになる（例えば、特許文献２参照）。
【０００６】
【特許文献１】
特開平９−１２１３２８号公報
【特許文献２】
特開平９−１２１３２９号公報
【０００７】
【発明が解決しようとする課題】
しかしながら第１の従来技術を用いた場合では、以下に示す問題を生じていた。すなわち、速送り再生を行ったときに、字幕の表示位置にノイズバーが現れるときでは、トラッキング調整をしてノイズバーを移動させる必要がある。しかし、トラッキング調整のためのキースイッチを操作して、ノイズバーを移動させる作業は煩わしく感じられる作業となっていた。また、ノイズバーを字幕の表示位置と重ならないようにするための操作を行ったときであっても、再生するビデオテープを交換した後に速送り再生をすると、ノイズバーが字幕の表示位置に現れることがある。従って、このようなときでは、ノイズバーの現れる位置が字幕の表示位置と重ならないようにするため、トラッキング調整のキースイッチを再び操作しなければならなかった。
【０００８】
また、第２の従来技術や第３の従来技術は、スキュー歪みが発生する領域を低減する技術であるため、第１の従来技術における問題、すなわち、速送り再生時に、ノイズバーによって字幕が見えなくなるという問題を解決しようとする観点からする場合では、適用することが困難な技術となっている。
【０００９】
本発明は上記課題を解決するため創案されたものであって、その目的は、１垂直走査期間を分割した分割垂直期間に現れる水平同期信号の数に基づいてノイズバーの位置を検出するとともに、検出結果が、画面の下端部近傍の範囲にノイズバーが現れなくなったことを示すまでトラッキング量を変化させることにより、速送り再生を行うときにも、字幕が表示されるエリアにノイズバーが現れないようにすることのできる磁気テープ再生装置を提供することにある。
【００１０】
また、本発明の目的は、１垂直走査期間を分割した分割垂直期間に現れる水平同期信号の数に基づいてノイズバーの位置を検出するとともに、検出結果が、ノイズバーが現れることが望ましくない画面範囲にノイズバーが現れなくなったことを示すまでトラッキング量を変化させることにより、速送り再生を行うときにも、ノイズバーが現れて欲しくない画面範囲にノイズバーが現れないようにすることのできる磁気テープ再生装置を提供することにある。
【００１１】
また本発明の目的は、１垂直走査期間を分割した分割垂直期間に現れる水平同期信号の数に基づいて、ユーザが設定したノイズバーの位置を検出して記憶するとともに、以後では、記憶した位置にノイズバーが現れるようにトラッキング量を変化させることにより、ユーザ自身がトラッキング調整をして、速送り再生時のノイズバーの位置を調整した後では、ビデオカセットが取り換えられるときにも、速送り再生時のノイズバーの現れる位置を、以前にユーザが調整した位置と同じ位置とすることのできる磁気テープ再生装置を提供することにある。
【００１２】
【課題を解決するための手段】
上記課題を解決するため本発明に係る磁気テープ再生装置は、１８０度異なる位置に取り付けられた２つの回転ヘッドの出力を切り換えて得られた信号を所定処理することによって再生映像信号を得るとともに、固定ヘッドによって磁気テープから読み取られたコントロール信号に基づいて磁気テープの走行を制御する磁気テープ再生装置に適用している。そして、１垂直走査期間を分割した分割垂直期間において再生映像信号に現れる水平同期信号の数に基づき、特殊再生時に再生映像信号に現れるノイズバーの垂直方向における位置を検出するノイズバー位置検出手段と、特殊再生時に画面の下端部近傍の範囲に対応する分割垂直期間である特定垂直期間にノイズバーが現れたことをノイズバー位置検出手段が示すときには、特定垂直期間にノイズバーが現れなくなったことをノイズバー位置検出手段が示すまでトラッキング量を変化させるトラッキング調整手段とを備えている。
【００１３】
すなわち、再生映像信号がノイズバーを示す期間では、水平同期信号は出力されない。従って、水平同期信号の数が分割垂直期間の期間に対応して定まる範囲の値となる場合、その分割垂直期間にはノイズバーが現れていないことになる。つまり、水平同期信号の数に基づき、分割垂直期間にノイズバーが現れているかどうかが検出される。従って、特定垂直期間にノイズバーが現れなくなったことをノイズバー位置検出手段が示すまでトラッキング量を変化させると、下端部近傍の範囲にはノイズバーが現れなくなる。
【００１４】
また本発明に係る磁気テープ再生装置は、１８０度異なる位置に取り付けられた２つの回転ヘッドの出力を切り換えて得られた信号を所定処理することによって再生映像信号を得るとともに、固定ヘッドによって磁気テープから読み取られたコントロール信号に基づいて磁気テープの走行を制御する磁気テープ再生装置に適用している。そして、１垂直走査期間を分割した分割垂直期間において再生映像信号に現れる水平同期信号の数に基づき、特殊再生時に再生映像信号に現れるノイズバーの垂直方向における位置を検出するノイズバー位置検出手段と、特殊再生時にノイズバーが現れることが望ましくない画面範囲に対応する分割垂直期間である特定垂直期間にノイズバーが現れたことをノイズバー位置検出手段が示すときには、特定垂直期間にノイズバーが現れなくなったことをノイズバー位置検出手段が示すまでトラッキング量を変化させるトラッキング調整手段とを備えている。
【００１５】
すなわち、再生映像信号がノイズバーを示す期間では、水平同期信号は出力されない。従って、水平同期信号の数が分割垂直期間の期間に対応して定まる範囲の値となる場合、その分割垂直期間にはノイズバーが現れていないことになる。つまり、水平同期信号の数に基づき、分割垂直期間にノイズバーが現れているかどうかが検出される。従って、特定垂直期間にノイズバーが現れなくなったことをノイズバー位置検出手段が示すまでトラッキング量を変化させると、ノイズバーが現れることが望ましくない画面範囲にはノイズバーが現れなくなる。
【００１６】
また本発明に係る磁気テープ再生装置は、１８０度異なる位置に取り付けられた２つの回転ヘッドの出力を切り換えて得られた信号を所定処理することによって再生映像信号を得るとともに、固定ヘッドによって磁気テープから読み取られたコントロール信号に基づいて磁気テープの走行を制御する磁気テープ再生装置に適用し、１垂直走査期間を複数個に分割した期間である分割垂直期間のそれぞれにおいて再生映像信号に現れる水平同期信号の数に基づき、特殊再生時に再生映像信号に現れるノイズバーの垂直方向における位置を検出するノイズバー位置検出手段と、特殊再生時にユーザによりトラッキング調整が行われたときには、前記トラッキング調整の後においてノイズバー位置検出手段により検出されたノイズバーの位置を記憶するノイズバー位置記憶手段と、特殊再生時にノイズバー位置検出手段の出力により示されるノイズバーの位置がノイズバー位置記憶手段に記憶されたノイズバーの位置に一致しないときには、ノイズバー位置検出手段の出力により示されるノイズバーの位置がノイズバー位置記憶手段に記憶されたノイズバーの位置に一致するまでトラッキング量を変化させるトラッキング調整手段とを備えている。
【００１７】
すなわち、再生映像信号がノイズバーを示す期間では、水平同期信号は出力されない。従って、水平同期信号の数が分割垂直期間の期間に対応して定まる範囲の値となる場合、その分割垂直期間にはノイズバーが現れていないことになる。つまり、水平同期信号の数に基づき、ノイズバーが現れている分割垂直期間とノイズバーが現れていない分割垂直期間とが検出される。つまり、ノイズバーの現れる位置を知ることができる。このため、ノイズバー位置検出手段により検出されたノイズバーの位置が、ノイズバー位置記憶手段に記憶された位置と一致するまでトラッキング量を変化させると、ノイズバーが現れる位置は、ユーザが操作によって調整した位置に一致する。
【００１８】
【発明の実施の形態】
以下に本発明の実施例の形態を、図面を参照しつつ説明する。
図１は、本発明に係る磁気テープ再生装置の第１の実施形態の電気的構成を示すブロック線図であり、詳細には、ビデオカセットレコーダを示している。なお、トラッキング調整手段６とノイズバー位置検出手段７とは、マイクロコンピュータを主要部として構成されている。
【００１９】
図において、固定ヘッド１は、ビデオテープ（磁気テープ）に記録されたコントロール信号を検出し、サーボ制御手段５に出力する（録画時では、ビデオテープにコントロール信号を記録するが、このときの信号経路は図示が省略されている）。キャプスタンモータ２は、前方や後方への特殊再生を行うとき、および、通常再生を行うときに、ビデオテープを所定の速度で走行させる。また、回転速度を示すＦＧ信号２１をサーボ制御手段５に出力する。回転ヘッド部３は、１８０度異なる角度でもって設けられた２つの回転ヘッド３１，３２を備えており、この２つの回転ヘッド３１，３２はビデオ回路部８のスイッチ９に接続されている。ドラムモータ４は、回転ヘッド３１，３２を回転させるためのモータであり、回転速度を示すＦＧ信号２２と回転位相を示すＰＧ信号２３とをサーボ制御手段５に送出している。
【００２０】
サーボ制御手段５は、固定ヘッド１からのコントロール信号、キャプスタンモータ２からのＦＧ信号２１、ドラムモータ４からのＦＧ信号２２とＰＧ信号２３とに基づき、キャプスタンモータ２を所定の速度で回転させる。また、ドラムモータ４の回転を制御することによって、回転ヘッド３１，３２を所定の回転速度および所定の位相で回転させる。なお、キャプスタンモータ２の回転速度については、信号２９が速送り再生を指示するときには、速送り再生に対応した回転速度となるように制御を行い、信号２９が通常再生を指示するときには、通常再生に対応した回転速度となるように制御を行う。
【００２１】
ビデオ回路部８は、スイッチ９を介して導かれた回転ヘッド３１，３２からの信号２４に所定処理を施す。そして、所定処理を施すことにより得られた再生映像信号２５を外部に出力する。また、外部から導かれた映像信号２６に対して所定処理を施すとともに、この所定処理により得られた信号を回転ヘッド３１，３２に送出することによって、映像信号２６をビデオテープに記録する。また、少なくとも、前方や後方への速送り再生（前方サーチや後方サーチ）となるときには、再生映像信号２５における複合同期信号と同じ複合同期信号２７をノイズバー位置検出手段７に送出する（再生映像信号２５をノイズバー位置検出手段７に送出する構成とすることもできる）。
【００２２】
ノイズバー位置検出手段７の構成の説明に先立ち、図４、図５を参照しつつ、特殊再生における主要信号の波形について説明する。いま、図５（Ａ）に示したように、前方への速送り再生となったことから、回転ヘッド３１，３２のうち、トラックＡ１〜Ａ５のアジマス角度に等しい側の回転ヘッド（３１の側とする）の軌跡が３１１ａとなり、トラックＢ１〜Ｂ５のアジマス角度に等しい側の回転ヘッド（３２の側とする）の軌跡が３２１ａになったとする。このときの回転ヘッド３１の出力は、トラックＡ１〜Ａ５上を移動するときではレベルが大きくなり、トラックＢ１〜Ｂ５上を移動するときではレベルが０近傍となる。また、回転ヘッド３２の出力は、トラックＢ１〜Ｂ５上を移動するときではレベルが大きくなり、トラックＡ１〜Ａ５上を移動するときではレベルが０近傍となる。
【００２３】
その結果、回転ヘッド３１，３２の出力を切り換えて得られた信号（スイッチ９の出力２４）のレベル変化は、図４の２４ａにより示した変化となる。従って、信号２４ａのレベルが大きくなる期間ｔ３１においては、ビデオ回路部８からは、複合同期信号２７の形式で水平同期信号２７２ａが出力されるが、信号２４ａのレベルが０近傍となる期間ｔ３２では、ビデオ回路部８からは水平同期信号２７２ａが出力されない。また、信号２４ａのレベルが０近傍となる期間ｔ３２は、再生映像信号２５がノイズバーを示す期間に一致している。つまり、複合同期信号２７の形式で出力される垂直同期信号２７１により示される１垂直走査期間ｔ１１において、水平同期信号２７２ａが現れなくなるタイミングを検出すると、検出したタイミングは、画面に現れるノイズバーの垂直方向における位置を示すことになる。
【００２４】
特殊再生におけるノイズバーの位置とビデオ回路部８から出力される複合同期信号２７中の水平同期信号との関係は、上記した関係となっている。このため、ノイズバー位置検出手段７は、ビデオ回路部８から送出される垂直同期信号２７１により示される１垂直走査期間ｔ１１を４つ（その他の任意の数とすることができるが、ノイズバーの数の２倍とすることが望ましい）の期間ｔ２１〜ｔ２４に分割する。そして、分割した期間である分割垂直期間ｔ２１〜ｔ２４のそれぞれにおいて、複合同期信号２７中の水平同期信号の数を検出する。そして、検出した水平同期信号の数に基づき、特殊再生時に再生映像信号２５に現れるノイズバーの垂直方向における位置を検出する。
【００２５】
詳細には、１フィールドにおける水平同期信号の数は２６２であるので、１垂直走査期間を４分割すると、１分割垂直期間についての水平同期信号の数は約６５となる。このため、ノイズバー位置検出手段７は、分割垂直期間ｔ２１〜ｔ２４のそれぞれにおいて、検出される水平同期信号の数が６０〜７０の範囲となるときには、その分割垂直期間にはノイズバーが無いと判定する。一方、検出される水平同期信号の数が６０〜７０とは異なる値となる場合、その分割垂直期間にはノイズバーが現れていると判定する。
【００２６】
すなわち、図４に従うと、分割垂直期間ｔ２１，ｔ２３にはノイズバーが無く、分割垂直期間ｔ２２，ｔ２４にはノイズバーが現れていると判定する。つまり、図６（Ａ）に示したように、分割垂直期間ｔ２１に対応する画面範囲Ｄ１と分割垂直期間ｔ２３に対応する画面範囲Ｄ３とにはノイズバーが無く、分割垂直期間ｔ２２に対応する画面範囲Ｄ２と分割垂直期間ｔ２４に対応する画面範囲Ｄ４とにはノイズバーＮ２ａ，Ｎ４ａが現れていると判定する（範囲Ｄ１１は、画面に表示される範囲を示している）。
【００２７】
トラッキング調整手段６、特殊再生時にノイズバーが現れることが望ましくない画面範囲に対応する分割垂直期間である特定垂直期間にノイズバーが現れたことをノイズバー位置検出手段７が示すときには、特定垂直期間にノイズバーが現れなくなったことをノイズバー位置検出手段７が示すまで、サーボ制御手段５に信号を与えることによって、トラッキング量を変化させる。なお、通常の使用において、特殊再生時にノイズバーが現れることが望ましくない画面範囲は、字幕が表示されることの多い画面範囲Ｄ４である。このため、本実施形態では、特定垂直期間を、画面範囲Ｄ４に対応する期間ｔ２４としている。
【００２８】
図２は、特殊再生時の主要動作を示すフローチャート、図３は、通常再生時の主要動作を示すフローチャートである。必要に応じてこれらの図を参照しつつ、実施形態の動作を説明する。
【００２９】
信号２９を介して、ユーザが入力した指示が与えられると、サーボ制御手段５は、速送り再生の指示がどうかを調べる。速送り再生の指示の場合、サーボ制御手段５は、キャプスタンモータ２の回転速度を、速送り再生に対応した回転速度に設定する（ステップＳ１，Ｓ２）。そして後、トラッキング調整手段６は、再生を行っているビデオカセットが、取り換えが行われて後、初めて速送り再生を行うビデオカセットであるのか、あるいは、取り換えられて後、少なくとも１回は速送り再生を行ったビデオカセットであるのかを調べる（ステップＳ３）。取り換えが行われて後、初めて速送り再生を行うビデオカセットである場合には、動作は、ステップＳ３からステップＳ４に移行する。
【００３０】
ステップＳ４になると、ノイズバー位置検出手段７は、ビデオ回路部８から出力される複合同期信号２７中の垂直同期信号と水平同期信号とに基づき、４つの分割垂直期間ｔ２１〜ｔ２４のうち、どの分割垂直期間にノイズバーが現れているかを、水平同期信号の数に基づいて検出する。いま、スイッチ９を介して導かれた回転ヘッド３１，３２からの信号の波形が、図４の２４ａに示す波形になっているとすると、ノイズバー位置検出手段７は、分割垂直期間ｔ２１、ｔ２３にはノイズバーが無く、分割垂直期間ｔ２２，ｔ２４にノイズバーが現れているとする検出結果をトラッキング調整手段６に送出する。
【００３１】
トラッキング調整手段６は、ノイズバー位置検出手段７の出力が、特定垂直期間ｔ２４にノイズバーが現れていることを示しているので、サーボ制御手段５に信号を与え、キャプスタンモータ２の回転速度を僅かの期間において速めることにより、トラッキング量を変更する（ステップＳ６）。この後、ノイズバー位置検出手段７は、ノイズバーの位置を検出し、検出結果をトラッキング調整手段６に送出する（ステップＳ４）。以下、特定垂直期間ｔ２４にノイズバーが無くなったことを示す検出結果がノイズバー位置検出手段７から送出されるまで、ステップＳ４〜Ｓ６のループ動作が繰り返される。
【００３２】
そして、ノイズバー位置検出手段７が、特定垂直期間ｔ２４からノイズバーが無くなったことを示す検出結果を送出したとき、動作は、ステップＳ５からステップＳ７に移行し、トラッキング調整手段６は、このときのトラッキング量を内部に記憶する。図５の（Ｂ）は、このときの回転ヘッド３１，３２の軌跡３１１ｂ，３２１ｂを示しており、スイッチ９を介して出力される信号２４は、２４ｂにより示す波形となる（水平同期信号は２７２ｂに示す信号となる）。従って、画面上では、図６の（Ｂ）において示したように、トラッキングの変更前では、画面の下端近傍に現れていたノイズバーＮ４ａは、その殆どが垂直ブランキング期間に移動し、上部に僅かに見えるだけとなる（Ｎ４ｂにより示す）。また、ノイズバーＮ２ａは、少しだけ下方に移動する（Ｎ２ｂにより示す）。従って、字幕が表示されることの多い画面範囲Ｄ４からはノイズバーが無くなることになる。
【００３３】
そして後、トラッキング調整手段６は、ステップＳ８，Ｓ９のループ動作を実行することによって、ユーザによるトラッキング量の変更の操作が入力されたかどうかと、速送り再生の終了の指示が入力されたかどうかを調べる。このループ動作において、ユーザによるトラッキング量の変更の操作が入力された場合には、入力された操作に対応して、トラッキング調整手段６はトラッキング量を変化させる（ステップＳ１１）。また、速送り再生の終了の指示が入力されたときには、速送り再生を終了させる。
【００３４】
なお、動作が、ステップＳ１，Ｓ２からステップＳ３と移行したときの判定において、再生を行うビデオカセットが、取り換え後に少なくとも１回は速送り再生を行ったビデオカセットとなる場合、動作は、ステップＳ３からステップＳ１０に移行する。このときでは、トラッキング調整手段６は、サーボ制御手段５に指示を与え、トラッキングを、内部に記憶していたトラッキング量（少なくとも１回の速送り再生を既に行っていた場合では、ステップＳ７により、トラッキング量が記憶されている）となるように制御する。その結果、ノイズバーの現れる位置は、図６（Ｂ）に示す位置となる。
【００３５】
また、ステップＳ１の判定において、速送り再生とは異なる指示となる場合、動作は、ステップＳ１からステップＳ２１に移行する。このため、指示が通常再生であるかどうかが調べられる。通常再生の指示の場合、サーボ制御手段５は、キャプスタンモータ２の回転速度を、通常再生に対応した回転速度に設定する（ステップＳ２２）。そして後、トラッキング調整手段６は、再生を行っているビデオカセットが、取り換え後に初めて通常再生を行うビデオカセットであるのか、あるいは、取り換え後に少なくとも１回は通常再生を行ったビデオカセットであるのかを調べる（ステップＳ３）。取り換え後に初めて通常再生を行うビデオカセットとなる場合には、動作は、ステップＳ２３からステップＳ２４に移行し、トラッキング調整手段６はトラッキングの調整を行う。そして後、このときのトラッキング量を内部に記憶する（ステップＳ２５）。
【００３６】
また、動作がステップＳ１，Ｓ２１，Ｓ２２，Ｓ２３と移行したときの判定において、再生を行うビデオカセットが、取り換え後に少なくとも１回は通常再生を行ったビデオカセットとなる場合、動作は、ステップＳ２３からステップＳ２６に移行する。そして、このときでは、トラッキング調整手段６は、サーボ制御手段５に指示を与え、トラッキング量を、内部に記憶していたトラッキング量（少なくとも１回の通常再生を既に行っていた場合では、ステップＳ２５により、トラッキング量が記憶されている）となるように制御する。また、ステップＳ２１の判定において、入力された指示が再生とは異なる指示となる場合、動作は、ステップＳ２１からステップＳ２７に移行し、指示された動作が実行される。
【００３７】
以上説明したように、トラッキング調整手段６は、速送り再生時では、速送り再生に対応したトラッキングの制御を行うとともに、速送り再生用としてのトラッキング量を記憶する。また、通常再生時では、通常再生に対応したトラッキングの制御を行うとともに、通常再生用としてのトラッキング量を記憶する。このため、速送り再生において最良となるようにトラッキングを調整しても、この調整が、通常再生において最良となるように調整されたトラッキング量を変えるという不具合の発生が防止されるようになっている。
【００３８】
なお、画面の範囲Ｄ４にノイズバーが現れないようにすることのみを目的とする場合では、以下に示す構成とすることができる。すなわち、ノイズバー位置検出手段７を、分割垂直期間ｔ２４における水平同期信号の数に基づき、分割垂直期間ｔ２４にノイズバーが現れたかどうかを検出する構成とする。また、トラッキング調整手段６を、ノイズバー位置検出手段７が分割垂直期間ｔ２４にノイズバーが現れたことを示すときには、ノイズバー位置検出手段７が分割垂直期間ｔ２４にノイズバーが無くなったことを示すまで、トラッキング量を変更する構成とする。そして、この構成とする場合では、ノイズバー位置検出手段７の構成が簡単化されることになる。
【００３９】
以上で第１の実施形態の説明を終了し、以下に、第２の実施形態について説明する。
【００４０】
図７は、第２の実施形態の電気的構成を示すブロック線図であり、ビデオカセットレコーダを示している。なお、第２の実施形態と第１の実施形態との差異は、ノイズバー位置記憶手段が追加して設けられている点と、トラッキング調整手段６の構成が異なる点との２点のみである。このため、構成が同一となるブロックについては、図１における符号と同一符号を付与し、説明を省略する。
【００４１】
ノイズバー位置記憶手段１１は、ノイズバー位置検出手段７によって検出されたノイズバーの位置を記憶する。そして、記憶したノイズバーの位置をトラッキング調整手段６に送出する。すなわち、スイッチ９から出力される信号２４が、図４の２４ａに示す信号となり、ビデオ回路部８から複合同期信号２７の形式で２７２ａに示す水平同期信号が出力されるときには、分割垂直期間ｔ２１，ｔ２３にはノイズバーが無く、分割垂直期間ｔ２２，ｔ２４にはノイズバーが有るというノイズバーの分布を記憶する。また、スイッチ９から出力される信号２４が、図９の２４ｃに示す信号となり、２７２ｃに示す水平同期信号がビデオ回路部８から出力されるときには、分割垂直期間ｔ２１〜ｔ２４の全てにノイズバーが有るというノイズバーの分布を記憶する。
【００４２】
トラッキング調整手段６は、特殊再生となるときに、ノイズバー位置検出手段７により示されるノイズバーの位置が、ノイズバー位置記憶手段１１に記憶されたノイズバーの位置に一致するかどうかを調べる。そして、一致しないときには、ノイズバー位置検出手段７の出力により示されるノイズバーの位置が、ノイズバー位置記憶手段１１に記憶されたノイズバーの位置に一致するまで、サーボ制御手段５に信号を出力して、トラッキング量を変化させる。
【００４３】
図８は、第２の実施形態の主要動作を示すフローチャートである。必要に応じて同図を参照しつつ、第２の実施形態の動作を説明する。
【００４４】
いま、ノイズバー位置記憶手段１１には、分割垂直期間ｔ２２，ｔ２４にはノイズバーが無く、分割垂直期間ｔ２１，ｔ２３にはノイズバーが有るというノイズバーの位置の分布を記憶しているとする。すなわち、字幕が表示される画面範囲Ｄ４にはノイズバーが現れないときのノイズバーの位置が記憶されているとする。
【００４５】
この状態において、ユーザが入力した指示が与えられると、サーボ制御手段５は、速送り再生の指示がどうかを調べる。速送り再生の指示の場合、サーボ制御手段５は、キャプスタンモータ２の回転速度を、速送り再生に対応した回転速度に設定する（ステップＳ３１，Ｓ３２）。そして後、トラッキング調整手段６は、再生を行っているビデオカセットが、取り換え後に初めて速送り再生を行うビデオカセットであるのか、あるいは、取り換え後に少なくとも１回は速送り再生を行ったビデオカセットであるのかを調べる（ステップＳ３３）。取り換えが行われて後、初めて速送り再生を行うビデオカセットである場合には、動作は、ステップＳ３３からステップＳ３４に移行する。
【００４６】
ステップＳ３４になると、ノイズバー位置検出手段７は、ビデオ回路部８から出力される複合同期信号２７中の垂直同期信号と水平同期信号とに基づき、４つの分割垂直期間ｔ２１〜ｔ２４のうち、どの分割垂直期間にノイズバーが現れているかを、水平同期信号の数に基づいて検出する。いま、スイッチ９を介して導かれた回転ヘッド３１，３２からの信号の波形が、図４の２４ａに示す波形になっているとすると、ノイズバー位置検出手段７は、分割垂直期間ｔ２１、ｔ２３にはノイズバーが無く、分割垂直期間ｔ２２，ｔ２４にはノイズバーが現れているとする検出結果を出力する。
【００４７】
トラッキング調整手段６は、ノイズバー位置検出手段７の出力により示されるノイズバーの位置が、ノイズバー位置記憶手段１１に記憶されているノイズバーの位置に一致するかどうかを調べる。このときでは、一致しないので、トラッキング調整手段６は、サーボ制御手段５に信号を与え、キャプスタンモータ２の回転速度を僅かの期間において速めることにより、トラッキング量を変更する（ステップＳ３６）。また、ノイズバー位置検出手段７は、ノイズバーの位置を検出し、検出結果をトラッキング調整手段６に送出する（ステップＳ３４）。以下、ノイズバー位置検出手段７により検出されたノイズバーの位置が、ノイズバー位置記憶手段１１に記憶されたノイズバーの位置に一致するまで、ステップＳ３４〜Ｓ３６のループ動作が繰り返される。
【００４８】
そして、ノイズバー位置検出手段７によって検出されたノイズバーの位置が、ノイズバー位置記憶手段１１に記憶されたノイズバーの位置に一致すると、動作は、ステップＳ３５からステップＳ３７に移行し、トラッキング調整手段６は、このときのトラッキング量を内部に記憶する。従って、トラッキング量を変更する前では、スイッチ９から出力される信号が、図４の２４ａに示す信号となっていて、ノイズバー位置検出手段７によって検出されたノイズバーの位置が、分割垂直期間ｔ２２，ｔ２４となっている場合であっても、ステップＳ３５からステップＳ３７に移行するときでは、スイッチ９から出力される信号は、図４の２４ｂに示す信号となって、分割垂直期間ｔ２１，ｔ２３にはノイズバーが現れるが、分割垂直期間ｔ２２，ｔ２４にはノイズバーは現れなくなる。
【００４９】
そして後、トラッキング調整手段６は、ステップＳ３８，Ｓ３９のループ動作を実行することによって、ユーザによるトラッキング量の変更の操作が入力されたかどうかを調べる。また、速送り再生の終了の指示が入力されたかどうかを調べる。このループ動作において、ユーザによるトラッキング量の変更操作が入力された場合、トラッキング調整手段６は、入力された操作に対応してトラッキング量を変更する（ステップＳ４１）。この後、ノイズバー位置検出手段７は、トラッキング量の変更に伴って移動したノイズバーの位置を検出する（ステップＳ４２）。また、ノイズバー位置記憶手段１１は、ノイズバー位置検出手段７の検出結果を記憶する（ステップＳ４３）。
【００５０】
一方、ステップＳ３１，Ｓ３２，Ｓ３３と移行したときの判定において、再生を行うビデオカセットが、取り換え後に少なくとも１回は速送り再生を行ったビデオカセットとなる場合、動作は、ステップＳ３３からステップＳ４０に移行する。このときでは、トラッキング調整手段６は、サーボ制御手段５に指示を与え、トラッキングを、内部に記憶していたトラッキング量（少なくとも１回は、既に速送り再生を行っていた場合では、ステップＳ３７により、トラッキング量が記憶されている）となるように制御する。
【００５１】
また、信号２９を介して知らされた指示が、速送り再生とは異なる指示の場合、動作は、ステップＳ３１からステップＳ２１に移行し、第１の実施形態と同じ動作が実行される。
【００５２】
以上のことから明らかであるが、ノイズバー位置記憶手段１１に記憶されるノイズバーの位置は、ユーザの操作に従って移動したノイズバーの位置となる。つまり、ノイズバー位置記憶手段１１には、ユーザの好みに対応したノイズバーの位置が記憶されることになる。従って、第２の実施形態を用いる場合では、ノイズバーの位置は、最も新しくユーザが入力した操作に対応した位置に現れることになる。
【００５３】
【発明の効果】
以上説明したように、本発明では、速送り再生となるときには、水平同期信号の数に基づき、１垂直走査期間を分割した分割垂直期間にノイズバーが現れているかどうかを検出するノイズバー位置検出手段を設けている。そして、画面下端部近傍の範囲に対応する分割垂直期間にノイズバーが現れなくなったことをノイズバー位置検出手段が示すまでトラッキング量を変化させている。このため、速送り再生を行うときにも、字幕が表示されるエリアにはノイズバーが現れないようにすることができる。
【００５４】
また本発明では、速送り再生となるときには、水平同期信号の数に基づき、１垂直走査期間を分割した分割垂直期間にノイズバーが現れているかどうかを検出するノイズバー位置検出手段を設けている。そして、ノイズバーが現れて欲しくない画面範囲に対応する分割垂直期間にノイズバーが現れなくなったことをノイズバー位置検出手段が示すまでトラッキング量を変化させている。このため、速送り再生を行うときにも、ノイズバーが現れて欲しくない画面範囲にノイズバーが現れないようにすることができる。
【００５５】
また本発明では、速送り再生となるときには、水平同期信号の数に基づき、ノイズバーが現れている位置を検出するノイズバー位置検出手段を設けている。そして、ノイズバー位置検出手段により検出されたノイズバーの位置が、ユーザが調整したノイズバーの位置を記憶したノイズバー位置記憶手段が示す位置と一致するまでトラッキング量を変化させている。このため、ユーザ自身がトラッキング調整をして、速送り再生時のノイズバーの位置を調整した後では、ビデオカセットが取り換えられるときにも、速送り再生時のノイズバーの現れる位置を、以前にユーザが調整した位置と同じ位置とすることができる。
【図面の簡単な説明】
【図１】本発明に係る磁気テープ再生装置の第１の実施形態の電気的構成を示すブロック線図である。
【図２】特殊再生時の第１の実施形態の主要動作を示すフローチャートである。
【図３】通常再生時の実施形態の主要動作を示すフローチャートである。
【図４】特殊再生時の主要信号の波形を示す説明図である。
【図５】回転ヘッドの軌跡を示す説明図である。
【図６】画面に現れるノイズバーを示す説明図である。
【図７】第２の実施形態の電気的構成を示すブロック線図である。
【図８】特殊再生時の第２の実施形態の主要動作を示すフローチャートである。
【図９】特殊再生時の主要信号の波形を示す説明図である。
【符号の説明】
６  トラッキング調整手段
７  ノイズバー位置検出手段
１１  ノイズバー位置記憶手段
２４，２４ａ〜２４ｃ  回転ヘッドにより検出された信号
２５  再生映像信号
２７  垂直同期信号
２８，２８ａ〜２８ｃ  水平同期信号
３１，３２  回転ヘッド
ｔ１１  １垂直走査期間
ｔ２１〜ｔ２４  分割垂直期間
【図１】
0003627239.tif 000002
【図２】
0003627239.tif 000003
【図３】
0003627239.tif 000004
【図４】
0003627239.tif 000005
【図５】
0003627239.tif 000006
【図６】
0003627239.tif 000007
【図７】
0003627239.tif 000008
【図８】
0003627239.tif 000009
【図９】
0003627239.tif 000010